(57)【特許請求の範囲】
【請求項１】
乗りかごに取り付けられたトイレを備えるトイレ付エレベータシステムであって、
前記乗りかご内を、通常時に利用者が利用する空間、及び前記トイレが配置される空間に仕切る仕切り壁と、
前記仕切り壁において、前記仕切り壁の開口を塞ぐように取り付けられたトイレ扉と、
前記トイレ扉を施錠する電気錠と、
エレベータに異常が発生したときに、前記電気錠を解錠する制御装置とを備える、トイレ付エレベータシステム。
【請求項２】
請求項１に記載のトイレ付エレベータシステムにおいて、
前記トイレの下側において、前記トイレに接続され、尿を貯留する尿タンクと、
前記トイレにおいて小便がされたことを検知する小便センサとを備え、
前記制御装置は、前記電気錠が解錠され、かつ、小便がされたときに、所定の尿排出動作を実行させることにより、前記尿タンクに貯留された尿を排出する、トイレ付エレベータシステム。
【請求項３】
請求項２に記載のトイレ付エレベータシステムにおいて、
前記乗りかごが移動する昇降路の壁部の上下方向中間部に取り付けられた中継容器と、
前記昇降路の底部に設けられた尿排出口及び前記中継容器を接続する下流側排出管と、
前記尿タンクの底部に一端が接続され、他端が前記中継容器に接続された上流側排出ホースとを備え、
前記制御装置は、前記電気錠が解錠され、かつ、小便がされたときに、前記尿タンクの所定部分の高さ位置が前記中継容器の所定部分の高さ位置以下であるときにおいて、エレベータの運転再開後に、前記尿排出動作として、前記尿タンクの所定部分の高さ位置が前記中継容器の所定部分の高さ位置より上側となるように、前記乗りかごに上昇動作を実行させる、トイレ付エレベータシステム。
【請求項４】
請求項２に記載のトイレ付エレベータシステムにおいて、
前記乗りかごが移動する昇降路の底部に設けられた尿排出口と、
前記尿タンクの底部に接続されて下方に伸びる尿排出管と、
前記尿排出管を閉鎖する弁とを備え、
前記制御装置は、前記電気錠が解錠され、かつ、小便がされたときに、エレベータの運転再開後に、前記尿排出動作として、前記尿排出管の下端が前記尿排出口に挿入されるように、前記乗りかごに下降動作を実行させ、かつ前記弁を開放させる、トイレ付エレベータシステム。
【請求項５】
請求項１に記載のトイレ付エレベータシステムにおいて、
前記トイレにおいて小便がされたことを検知する小便センサを備え、
前記制御装置は、前記電気錠が解錠され、かつ、小便がされたときに、エレベータの運行を監視する情報センターに要救出者がいることを表す異常時要救出信号を送信する、トイレ付エレベータシステム。
【請求項６】
請求項５に記載のトイレ付エレベータシステムにおいて、
前記乗りかごの内部に配置された大便使用スイッチと、
前記乗りかごの内部に配置され大便を禁止することを表示する表示部とを備え、
前記制御装置は、前記大便使用スイッチがオンされたときに、優先度の高い要救出者がいることを表す高優先度要救出信号を前記情報センターに送信する、トイレ付エレベータシステム。
【発明の詳細な説明】
【技術分野】
【０００１】
本発明は、乗りかごに取り付けられたトイレを備えるトイレ付エレベータシステムに関する。
【背景技術】
【０００２】
地震等の災害発生時または故障等によってエレベータの乗りかごに利用者が閉じ込められる可能性がある。また、大規模地震の発生等に伴って、乗りかごにおいて故障等により利用者が閉じ込められて乗りかごが停止する閉じ込め停止が多数同時に発生する場合もある。そして、この場合には、利用者の救出またはエレベータの復旧までに長時間を要する場合がある。このような場合に、乗りかご内の利用者、特に女性の生理現象である排泄行為及び便意に対応できるようにすることは重要である。
【０００３】
特許文献１には、エレベータの乗りかごに収納ボックスを設け、その収納ボックスに腰掛け用の弁座を備えたトイレを折り畳み可能に収納した構成が記載されている。弁座の下側の汚物受け部は、蛇腹形状の伸縮可能に構成され、その後端が収納ボックスに取り付けられる。
【先行技術文献】
【特許文献】
【０００４】
【特許文献１】特開２００８−８１２２４号公報
【発明の概要】
【発明が解決しようとする課題】
【０００５】
ところで、乗りかごにトイレが取り付けられる構成において、乗りかご内を、通常時に利用者が利用する空間、及び、トイレが配置される空間を仕切る仕切り壁を設けて、その仕切り壁に設けた開口を塞ぐようにトイレ扉を取り付けることが考えられる。このとき、トイレ扉が施錠されていないと、エレベータの利用者が通常時にトイレ配置空間に自由に出入りする可能性がある。このようにトイレ配置空間への利用者の自由な出入りを可能とすることは衛生上、望ましくない。一方、トイレ扉が通常時に施錠されているときにおいて、地震、故障の発生等によりエレベータに異常が発生した場合に、トイレ扉が施錠されている場合には、利用者がトイレを使用できない。これにより、乗りかごにトイレが取り付けられる構成において、緊急時である異常発生時にのみ利用者がトイレ配置空間に出入りできる構成を実現することが望まれる。
【０００６】
本発明に係るトイレ付エレベータシステムの目的は、乗りかごにトイレが取り付けられる構成において、異常発生時にのみ利用者が、トイレが配置された空間に出入りできる構成を実現することである。
【課題を解決するための手段】
【０００７】
本発明に係るトイレ付エレベータシステムは、乗りかごに取り付けられたトイレを備えるトイレ付エレベータシステムであって、前記乗りかご内を、通常時に利用者が利用する空間、及び前記トイレが配置される空間に仕切る仕切り壁と、前記仕切り壁において、前記仕切り壁の開口を塞ぐように取り付けられたトイレ扉と、前記トイレ扉を施錠する電気錠とを備え、エレベータに異常が発生したときに、前記電気錠を解錠する制御装置とを備える。
【発明の効果】
【０００８】
本発明に係るトイレ付エレベータシステムによれば、乗りかごにトイレが取り付けられる構成において、異常発生時にのみ利用者がトイレ配置空間に出入りできる構成を実現できる。
【図面の簡単な説明】
【０００９】
【図１】実施形態のトイレ付エレベータシステムの構成図である。
【図２】本発明に係る実施形態のトイレ付エレベータシステムにおける乗りかご内を上方から見た図である。
【図３】図１に示す乗りかごの透視斜視図である。
【図４】乗りかご内のトイレに接続された尿タンクと、昇降路の底部の尿排出口とを接続する部分の構成を示す断面図である。
【図５】本発明に係る実施形態のトイレ付エレベータシステムを用いて行う尿タンク排出方法を説明するためのフローチャートを示す図である。
【図６】乗りかごを上昇動作させることにより最上階に移動させて、尿タンクから排泄物を排出させる状態を示している、図４に対応する図である。
【図７】本発明に係る実施形態のトイレ付エレベータシステムの別例において、乗りかごを下降動作させて、尿タンクから排泄物を排出させる場合における下降動作の直前の状態を示す図である。
【図８】図７の構成を用いて行う尿タンク排出方法を説明するためのフローチャートを示す図である。
【図９】本発明に係る実施形態のトイレ付エレベータシステムの別例の構成を示す図である。
【図１０】図９の構成を用いて行うエレベータの異常時要救出信号の送信方法を説明するためのフローチャートを示す図である。
【図１１】本発明に係る実施形態のトイレ付エレベータシステムの別例の構成を用いて行うエレベータの異常時要救出信号の送信方法を示す図である。
【図１２】本発明に係る実施形態のトイレ付エレベータシステムの別例における乗りかご内を上方から見た図である。
【発明を実施するための形態】
【００１０】
以下、図面を用いて本発明の実施形態を説明する。以下ではすべての図面において同等の要素には同一の符号を付して説明する。また、本文中の説明においては、必要に応じてそれ以前に述べた符号を用いるものとする。
【００１１】
図１は、実施形態のトイレ付エレベータシステム１０の構成図である。図２は、トイレ付エレベータシステム１０における乗りかご２０内を上方から見た図である。図３は、図１に示す乗りかご２０の透視斜視図である。以下、トイレ付エレベータシステム１０は、エレベータシステム１０と記載する。
【００１２】
エレベータシステム１０は、昇降路１１（図４）内に配置された乗りかご２０と、トイレ２１（図２、図３）と、主ロープ１２（図４）と、エレベータ運転装置１３と、地震センサ１４と、制御装置である制御盤１５とを備える。トイレ２１は、乗りかご２０の底板部２０ａにおいて、内側の隅部に取り付けられて固定される。トイレ２１は、上部が開口した洋式の便器２１ａの上端部に弁座２１ｂ及び弁蓋２１ｃが回動可能に支持される。便器２１ａには、水洗用の水を供給する給水タンク２２が接続される。給水タンク２２は、乗りかご２０の壁部２０ｂに固定される。トイレ２１は、主として、排泄の機会が多い小便用に適するように形成されている。
【００１３】
後述のように、トイレ２１が配置されるトイレ空間２３は、仕切り壁２４及びトイレ扉２５によって、通常時に利用者が利用する通常利用空間２６とは隔てられる。そして、トイレ扉２５のトイレ空間２３側には、表示部としての図示しない銘板が取り付けられる。その銘板には、トイレ２１における大便の禁止を含めて、トイレ２１の使用方法が表示される。また、トイレ扉２５が開放されたときに、その開放を検知する開放センサと、音声出力部とが設けられ、開放が検知されたときに制御盤１５が音声出力部を制御して、音声出力部が、大便が禁止であることを音声でアナウンスする構成が採用されてもよい。
【００１４】
なお、女性に配慮した構成として、便器２１ａの上部に衛生洗浄装置が固定され、衛生洗浄装置に弁座及び弁蓋が回動可能に支持された構成としてもよい。衛生洗浄装置は、用便後の利用者によって洗浄用ボタンが押された場合に、利用者の尻部にノズルから洗浄用温水を噴出させて尻部を洗浄する。弁座は、内部に加熱ヒータを有し、上面温度が適温に保持される。弁座及び衛生洗浄装置を一体化したものとして、例えば東陶機器株式会社製の弁座装置（商品名：ウォッシュレット）がある。
【００１５】
トイレ２１は、通常時には、後述の仕切り壁２４及びトイレ扉２５によって仕切られて、利用者が使用できない状態にある。一方、地震等の災害発生時またはエレベータの故障発生時等のエレベータの異常発生時には、後述のようにトイレ扉２５の電気錠２５ａが解錠されてトイレ２１が使用できる状態となる。これについては、後で詳しく説明する。
【００１６】
主ロープ１２（図４）は、一端が乗りかご２０に接続され、他端がカウンタウェイト（図示せず）に接続される。エレベータ運転装置１３は、主ロープ１２を駆動する巻き上げ機（図示せず）を含み、エレベータが設置される建物の最上部の機械室（図示せず）に配置される。制御盤１５も機械室に配置され、巻き上げ機の駆動を制御する。制御盤１５は、ＣＰＵ等の演算部及びメモリ等の記憶部を有するマイクロコンピュータを含む。これにより、乗りかご２０が制御盤１５により制御されて昇降路１１内で昇降移動する。
【００１７】
図２に示すように、乗りかご２０は、４つの隅部Ｃ１〜Ｃ４のうち、１つの隅部Ｃ１に２つの壁部２０ｂ、２０ｃの内側面に掛け渡すように斜めに固定された仕切り壁２４と、トイレ扉２５とを含む。仕切り壁２４は、金属、樹脂等の材料により形成され、乗りかご２０内を、トイレ２１が配置されるトイレ空間２３と、通常時に利用者が利用可能な通常利用空間２６とに仕切っている。トイレ扉２５は、仕切り壁２４において、仕切り壁２４の開口２０ｄを塞ぐように取り付けられ、開口２０ｄの一端側（図２、図３の右端側）側面に開閉可能に取り付けられる。トイレ扉２５には、電気錠２５ａ（図３）が取り付けられ、電気錠２５ａはトイレ扉２５を施錠する。電気錠２５ａは、通電時解錠型であり、通電されているときには解錠状態となり、通電されていないときには施錠される。電気錠２５ａは、後述の制御盤１５により制御される。制御盤１５と電気錠２５ａとは信号ケーブル（図示せず）により接続される。また、乗りかご２０において、トイレ２１が設置される隅部Ｃ１と異なる１つの隅部Ｃ３には、防犯カメラ２７（図２）が設置される。防犯カメラ２７は、制御盤１５に接続され、撮影状態が制御盤により制御される。また、制御盤１５は、通信制御装置を介して情報センターに接続される。情報センターは、エレベータが設置された建物とは別の建物に設置されるものであり、作業員が配置されて、エレベータの運行を遠隔で監視し、かつ、点検する。これにより、乗りかご２０内における利用者の安全を確保しやすい。
【００１８】
図４は、乗りかご２０内のトイレ２１に接続された尿タンク３０と、昇降路１１の底部の尿排出口１６とを接続する部分の構成を示す断面図である。乗りかご２０の底部には、尿タンク３０が取り付けられて固定される。尿タンク３０は箱形状であり、トイレ２１の便器２１ａと配管３１で接続される。トイレ２１から排出された尿等の排泄物は尿タンク３０に一時的に貯留される。また、尿タンク３０には、尿タンク３０の上端から底面付近まで伸びる棒状の小便センサ３２が取り付けられる。小便センサ３２の検出部は尿タンク３０の底面付近に位置する。小便センサ３２は、検出部に液体が接触することを検知することにより、トイレ２１において小便がされたことを検知する。小便センサ３２の検知信号は、制御盤１５（図１）に送信される。小便センサ３２は、小型のシート状等に形成された検知部を、便器２１ａの内面に取り付け、小便がされたことを検知する構成としてもよい。
【００１９】
尿タンク３０の上端付近には脱臭ファン３３が取り付けられる。脱臭ファン３３の駆動は制御盤１５によって制御される。乗りかご２０の底板部においてトイレ空間２３の下側に位置する部分と尿タンク３０の天板部とにはそれらの両方を上下に貫通する通気孔（図示せず）が形成される。また、尿タンク３０の天板部の下面には消臭フィルタ（図示せず）が取り付けられる。これにより、トイレ空間２３の空気は、消臭フィルタを通じて尿タンク３０に吸引される。尿タンク３０に吸引された空気は、別の消臭フィルタ（図示せず）が取り付けられた別の通気孔（図示せず）から昇降路１１（図４）内に排出される。これにより、トイレ空間２３及び尿タンク３０の消臭を行える。また、脱臭ファン３３が乗りかご２０内に配置されないので、乗りかご２０内の空間が狭くなることがない。なお、乗りかご２０内に脱臭ファンを取り付けることもできる。
【００２０】
図１に戻って、地震センサ１４は、エレベータにおいて所定値以上の大きさの地震が発生したことを検知する。例えば地震センサ１４は、初期微動であるＰ波等の地震波において所定値以上の揺れが生じたことを検知する。地震センサ１４の検知信号はエレベータの異常の発生を知らせる信号として、制御盤１５に送信される。制御盤１５は、所定値以上の地震が検知されたときには、エレベータに異常が発生したと判断して、エレベータ運転装置１３を制御して乗りかご２０の昇降を停止させる。そして、制御盤１５は、地震センサ１４の検知信号を受け取ったときに、トイレ扉２５の電気錠２５ａを解錠するように、電気錠２５ａを制御する。これにより、トイレ扉２５が開放可能となるので、利用者がトイレ空間２３内のトイレ２１を使用することが可能となる。このため、異常発生時にのみ利用者が、トイレ２１が配置されたトイレ空間２３に出入りできる構成を実現できる。したがって、衛生上良好で、かつ、異常が発生した乗りかご２０に利用者が長時間閉じ込められた場合でも排泄行為に困らないエレベータを提供できる。また、トイレ扉２５があることで女性でも安心して利用できる。なお、トイレ扉２５には、トイレ空間２３側から施錠、解錠できる手動錠が取り付けられてもよい。
【００２１】
一方、所定値以上の地震が検出されないようになり、エレベータの運転が許可される状態となったときには、制御盤１５は乗りかご２０を最寄階まで自動で移動させる緊急運転を行って、最寄階で乗りかご扉２８を開放する。このとき、後述するように、緊急運転前の運転停止時において、トイレ扉２５の電気錠２５ａが解錠され、かつ小便がされたときであって、乗りかご２０が所定以下の高さ位置にあるときには、十分な所定時間が経過した後に乗りかご扉２８を閉じる。そして、乗りかご２０を上昇動作させる。これによって、尿タンク３０（図４）から尿排出口１６（図４）へ排泄物を排出させることができる。
【００２２】
そして、作業員により、または制御盤１５の自己診断装置によって所定の検査が行われた後で、制御盤１５は乗りかご２０の通常運転を再開させる。このとき、作業員がトイレ空間２３内に利用者がいないことを確認した後で、制御盤１５に接続された操作部を操作して、その操作に応じて、トイレ扉２５が再度電気錠２５ａで施錠されるようにしてもよい。
【００２３】
制御盤１５は、電気錠２５ａが解錠され、かつ、小便がされたときに、所定の尿排出動作を実行させることにより、尿タンク３０に貯留された尿を排出する。具体的には、図４に示すように、エレベータは、乗りかご２０が移動する昇降路１１の壁部１７の上下方向中間部に取り付けられた中継容器３５と、中継容器３５に接続された下流側排出管３６及び上流側排出ホース３７とを含む。
【００２４】
中継容器３５は、上下両端が天板部及び底板部で塞がれた円筒状または矩形筒状の容器である。下流側排出管３６は、上下方向に伸びているもので、一端（図４の下端）が昇降路１１の底部に設けられた尿排出口１６に接続され、他端（図４の上端）が中継容器３５の底板部に接続される。下流側排出管３６は、例えば昇降路１１の壁部１７において、上下方向に沿うように配置された制御ケーブル（図示せず）に沿って設置されてもよい。尿排出口１６は、下水配管である汚水配管（図示せず）に接続される。これにより、下流側排出管３６は、尿排出口１６と中継容器３５とをほぼ上下方向に接続する。
【００２５】
また、上流側排出ホース３７は、一端が尿タンク３０の底部に接続され、他端が中継容器３５の底板部に接続される。上流側排出ホース３７は、例えばゴムまたは樹脂等により形成され、撓み及び曲げ変形が可能な配管である。
【００２６】
さらに図１に示すように、制御盤１５は電気錠２５ａが解錠され、かつ、小便がされたときに、所定の尿排出動作を行う。具体的には、制御盤１５は、電気錠２５ａに解錠信号が出力されることにより電気錠２５ａが解錠され、かつ、小便センサ３２の検知信号の入力があったことにより小便がされたと判断する。そして、尿排出動作として、尿タンク３０の所定部分の高さ位置が、中継容器３５の所定部分の高さ位置以下であるときに、エレベータの運転再開後に、尿タンク３０の所定部分が中継容器３５の所定部分より上側となるように乗りかご２０に上昇動作が実行される。例えば、尿排出動作として、制御盤１５は、尿タンク３０の下端の高さ位置が、中継容器３５の下端の高さ位置以下のときに、尿タンク３０の下端の高さ位置が中継容器３５の下端の高さ位置より上側となるように乗りかご２０に上昇動作を実行させる。このとき、例えば、制御盤１５は、エレベータ運転装置１３を制御することによって、乗りかご２０を最上階に上昇移動させる。
【００２７】
図５は、エレベータシステム１０を用いて行う尿タンク排出方法を説明するためのフローチャートを示す図である。まず、ステップＳ１０（以下、ステップＳはＳと記載する。）では、制御盤１５がトイレ扉２５の電気錠２５ａが解錠されたか否かを判定する。Ｓ１０の判定結果が肯定（ＹＥＳ）の場合、Ｓ１１で制御盤１５は、小便がされたことが検知されたか否かを判定する。そして、Ｓ１１の判定結果が肯定の場合には、Ｓ１２で制御盤１５は、尿タンク３０の下端の高さ位置が中継容器３５の下端の高さ位置以下か否かを判定する。そして、Ｓ１２の判定結果が肯定の場合には、Ｓ１３で制御盤１５は、エレベータの運転再開後に、乗りかご２０を最上階に上昇させる動作を実行する。一方、Ｓ１０からＳ１２で判定結果が否定（ＮＯ）の場合、及び、Ｓ１３の処理の後は、再度Ｓ１０の処理に戻る。
【００２８】
図６は、乗りかご２０を上昇動作させることにより最上階３８に移動させて、尿タンク３０から尿等の排泄物を排出させる状態を示している、図４に対応する図である。上記の構成によれば、図６に示すように、エレベータの異常による停止後、エレベータの運転が復帰されたときに、尿タンク３０から矢印Ａで示す方向に、自重によって排泄物を流し、尿排出口１６（図４）を通じて汚水配管に排泄物を排出できる。
【００２９】
また、中継容器３５が、昇降路１１の壁部１７の上下方向中間部に取り付けられ、下流側排出管３６が、昇降路１１の底部に設けられた尿排出口１６及び中継容器３５を接続する。また、上流側排出ホース３７が、尿タンク３０の底部に一端が接続され、他端が中継容器３５に接続される。これにより、尿タンク３０の底部と昇降路１１の底部の尿排出口１６とが直接にホースで接続される構成とは異なり、乗りかご２０が最下階に下降したときでも、その位置からホースの中間部が下側に大きくたるむことがない。これにより、ホースの中間部が大きく垂れ下がって、昇降路１１の底部または底部に設けられた部品等に接触することを防止できる。
【００３０】
また、尿排出口１６に尿タンク３０内の排泄物を排出するためにエレベータの上昇動作を実行させた後は、制御盤１５は、消毒液供給装置（図示せず）により便器２１ａ及び尿タンク３０に自動で消毒液を供給させる構成を採用してもよい。このとき、給水タンク２２（図３）から便器２１ａ及び尿タンク３０に水を流し、尿タンク３０から尿排出口１６に水及び消毒液を排出する構成としてもよい。このとき、給水タンク２２から便器２１ａに自動で給水されるように給水タンク２２に付属の給水部が制御されてもよい。また、昇降路１１の底部の尿排出口１６が汚水配管に接続されない構成で、尿排出口１６に固化剤を設置して尿等の排泄物を固化するようにしてもよい。
【００３１】
上記では、エレベータの地震センサ１４が地震を検知した場合に乗りかご２０を停止させる場合の処理を説明したが、エレベータは、故障等の他の理由によっても乗りかご２０が長時間停止される場合がある。制御盤１５は、このときも、エレベータに異常が発生したと判断して乗りかご２０を停止させる。そして、運転停止中にトイレ扉２５の電気錠２５ａが解錠され、かつ小便がされたことが検出されたときであって、乗りかご２０が所定以下の高さ位置にあるときには、運転再開後に尿タンク３０から排泄物を排出するように乗りかご２０を上昇動作させる。
【００３２】
また、エレベータでは、特に女性に配慮した構成として、以下の吸盤付カーテン４０（図２）、擬音発生装置４１（図２）、及び汚物入れ４２（図２）も採用される。
【００３３】
（１）吸盤付カーテン４０は、布、樹脂等の材料により伸縮可能な波形に形成され、幅方向（図２の斜め左右方向）の両端に取り付けられた吸盤４０ａを含む。吸盤４０ａは、乗りかご２０の壁面に対し吸着及び取り外しが可能である。吸盤付カーテン４０は、通常時には折り畳んだ状態でトイレ空間２３に収納される。吸盤付カーテン４０の使用時には、幅方向両側の吸盤４０ａを乗りかご２０の２つの壁面に吸着させることで、利用者が利用可能な個室として、脱衣空間を形成できる。利用者は、他の利用者から見えない状態で、脱衣空間で衣服を脱いで、トイレ空間２３に入ることができる。
【００３４】
（２）擬音発生装置４１は、乗りかご２０の壁面、または仕切り壁２４のトイレ空間２３側に取り付けられる。擬音発生装置４１は、図２において三角形で模式化して示している。擬音発生装置４１は、押しボタン式スイッチが押されたときに自然の流水音等の擬音を発生させることにより、用便時に発生する排出音を消音する。また、図２の四角にＸを付した部分には、汚物入れ４２が配置される。
【００３５】
図７は、実施形態のエレベータシステム１０の別例において、乗りかご２０を下降動作させて、尿タンク３０から尿等の排泄物を排出させる場合における下降動作の直前の状態を示す図である。図８は、図７の構成を用いて行う尿タンク排出方法を説明するためのフローチャートを示す図である。
【００３６】
図７、図８に示す別例の構成では、尿タンク３０の底板部２０ａに尿排出管４３が下方に伸びるように接続される。また、尿排出管４３の上端部に電磁制御弁である排出管閉鎖弁４４が配置される。排出管閉鎖弁４４の開閉状態は制御盤１５（図１）により制御される。排出管閉鎖弁４４は、非通電時に尿排出管４３の上端部を閉鎖し、通電時には尿排出管４３の上端部を開放して、尿排出管４３の下端開口と尿タンク３０の内部とを通じさせる。尿排出管４３の下端開口は、軸方向に対し傾斜している。尿排出管４３は、例えば金属により形成される。
【００３７】
昇降路１１の底部に設けられた尿排出口１６は、汚水配管（図示せず）に接続され、かつ、上側に蓋部４５が設けられる。蓋部４５は、分離可能に突き当てられた２つの回動部材４６を含む。各回動部材４６は、軸方向（図７の紙面の表裏方向）の両端に配置される扇状板部と、扇状板部の外周縁に連結される断面円弧形の曲面部とを有する。各回動部材４６は、昇降路１１の底部に対し軸方向の回動軸４７を中心に回動可能に支持される。２つの回動部材４６は、バネ４８により互いに近づく方向に付勢され、突き合わされることにより、尿排出口１６の上部を塞いでいる。このような蓋部４５では、上端に下方に押す方向の力が加わると、２つの回動部材４６の上端が離れるように各回動部材４６が回動軸４７を中心に、図７に矢印α、βで示す方向にそれぞれ回転する。
【００３８】
また、制御盤１５は、電気錠２５ａ（図１）が解錠され、かつ、小便がされたときに、所定の尿排出動作を行う。具体的には、尿排出動作として、エレベータの運転再開後に、尿排出管４３の下端が尿排出口１６に挿入されるように、乗りかご２０の下降動作が実行され、かつ排出管閉鎖弁４４が開放される。例えば、制御盤１５は、エレベータ運転装置１３を制御することによって、乗りかご２０を最下階に下降移動させる。
【００３９】
図８は、図７の構成を用いて行う尿タンク排出方法を説明するためのフローチャートを示す図である。まず、Ｓ２０では、制御盤１５（図１）がトイレ扉２５（図２）の電気錠２５ａ（図１）が解錠されたか否かを判定する。Ｓ２０の判定結果が肯定（ＹＥＳ）の場合、Ｓ２１で制御盤１５は、小便がされたことが検知されたか否かを判定する。そして、Ｓ２１の判定結果が肯定の場合には、Ｓ２２で制御盤１５は、尿排出管４３の下端が尿排出口１６に挿入されるように、乗りかご２０を最下階に下降させる動作を実行させる。このとき、図７に矢印γで示すように尿排出管４３の下端が移動して、尿排出口１６の上側の蓋部４５の上端に突き当たる。そして、尿排出管４３が蓋部４５を構成する２つの回動部材４６の上端の間隔をバネ４８の付勢力に抗して押し広げて、その内側に尿排出管４３の下端が挿入される。次いで、制御盤１５が排出管閉鎖弁４４を開放することにより、尿タンク３０の内部で貯留された排泄物が尿排出口１６に自重によって排出される。一方、Ｓ２０、Ｓ２１で判定結果が否定（ＮＯ）の場合、及び、Ｓ２３の処理の後は、再度Ｓ２０の判定処理に戻る。
【００４０】
上記の構成によれば、エレベータの異常による停止後、エレベータの運転が復帰されたときに、排出管閉鎖弁４４が開放された場合に、尿タンク３０から自重によって、尿排出口１６を通じて排泄物を汚水配管に排出できる。図７、図８の構成において、昇降路１１の底部の尿排出口１６が汚水配管に接続されない構成で、尿排出口１６に固化剤を設置して尿等の排泄物を固化するようにしてもよい。その他の構成及び作用は、図１から図６の構成と同様である。
【００４１】
図９は、エレベータシステム１０の別例の構成を示す図である。図１０は、図９の構成を用いて行うエレベータの異常時要救出信号の送信方法を説明するためのフローチャートを示す図である。図９、図１０に示す構成では、図１から図６の構成において、制御盤１５は、通信制御装置５０を介して情報センター５１にケーブル等の有線または無線で接続されている。
【００４２】
そして、エレベータの制御盤１５は、乗りかご２０に配置されたトイレ扉２５の電気錠２５ａが解錠され、かつ、小便がされたときに、情報センター５１のコンピュータに、異常時要救出信号をエレベータ側の通信制御装置５０によって送信する。異常時要救出信号は、乗りかご２０内に要救出者がいることを表す信号である。
【００４３】
図１０において、Ｓ３０で示すように、制御盤１５は、トイレ扉２５の電気錠２５ａが解錠されたか否かを判定する。Ｓ３０の判定結果が肯定（ＹＥＳ）の場合、Ｓ３１で制御盤１５は、小便がされたことが検知されたか否かを判定する。そして、Ｓ３１の判定結果が肯定の場合には、Ｓ３２で制御盤１５は、便器使用信号である要救出信号を情報センター５１に送信する。Ｓ３０，Ｓ３１の判定結果が否定の場合、及び、Ｓ３２の処理の後は、再度Ｓ３０の処理に戻る。
【００４４】
このように小便がされたことが検知された場合には、緊急を要する場合であるので、通信制御装置５０によって、異常時要救出信号が情報センター５１に送信される。情報センター５１では、例えば表示部または警告音発生部等により要救出者がいることを表す警告を、情報センター５１の作業員に報知する。これにより、作業員がエレベータの乗りかご２０が停止している現場に行って、乗りかご２０内の要救出者の救出作業を行うことを促すことができる。その他の構成及び作用は、図１から図６の構成と同様である。
【００４５】
図１１は、エレベータシステム１０の別例の構成を用いて行うエレベータの異常時要救出信号の送信方法を示す図である。図１１の構成は、図９、図１０の構成において、乗りかご２０のトイレ空間２３内に緊急用として大便使用スイッチ５２（図９）が配置されている。例えば、大便使用スイッチ５２は、押しボタンスイッチまたはロッカースイッチであり、トイレ空間２３内の壁部に取り付けられる。上記の図２では、丸にＸを付した部分により大便使用スイッチ５２の配置位置の例が示されている。大便使用スイッチ５２は、トイレ２１の利用者によって、大便を開始する際に押される等によりオンされる。トイレ空間２３において、大便使用スイッチ５２の周辺部には、大便を禁止することを表示する表示部としての銘板が取り付けられ、その銘板には、もし大便を行う場合には、大便使用スイッチ５２を押すことを促す表示がされている。大便使用スイッチ５２は、制御盤１５に接続される。
【００４６】
制御盤１５は、大便使用スイッチ５２がオンされたときに、優先度の高い要救出者がいることを表す高優先度要救出信号を情報センター５１（図９）に送信する。
【００４７】
図１１のフローチャートにおいて、Ｓ４０からＳ４２の処理は、図１０のＳ３０からＳ３２の処理と同様である。そして、図１１のＳ４０、Ｓ４１で判定結果が否定（ＮＯ）の場合、及びＳ４２の処理の後では、Ｓ４３に移行され、制御盤１５は大便使用スイッチ５２がオンされたか否かを判定する。そして、Ｓ４３の判定結果が肯定（ＹＥＳ）の場合には、Ｓ４４で制御盤１５は高優先度要救出信号を情報センター５１に送信する。Ｓ４３の判定結果が否定の場合、及び、Ｓ４４の処理の後は、再度Ｓ４０の処理に戻る。
【００４８】
エレベータでは、トイレ２１の利用者が大便の便意を我慢できない場合もあり、それを防ぐことはできないが、乗りかご２０の設備が大量または長期間の大便排泄物の保管に適さない場合がある。図１１を用いて説明した構成によれば、この場合に、救出優先度が高い要救出信号が情報センター５１に送信される。情報センター５１では、例えば表示部または警告音発生部等により高優先度の要救出者がいることを表す警告を、情報センター５１の作業員に報知する。これにより、作業員がその情報に応じて優先度を高くして救出作業を行うことを促すことができる。その他の構成及び作用は、図９、図１０の構成と同様である。
【００４９】
図１２は、エレベータシステム１０の別例における乗りかご２０内を上方から見た図である。図１２の構成では、図１から図６の構成において、乗りかご６０は、箱状の乗りかご本体６１と、乗りかご本体６１の外側に固定されたトイレ配置箱部６２とを含む。乗りかご本体６１の内部にはトイレ２１は配置されない。トイレ配置箱部６２は、乗りかご本体６１の裏面側（乗りかご扉２８と反対側）の壁部６０ａにおいて、左右方向一方側（図１２の左側）半部から裏側に突出するように固定される。
【００５０】
トイレ配置箱部６２には、トイレ２１と給水タンク２２とが取り付けられるとともに、汚物入れ４２及び擬音発生装置４１が設けられ、さらに場合によっては大便使用スイッチ５２も設けられる。大便使用スイッチ５２は、図１１で説明した構成と同様である。このとき、乗りかご２０内の通常利用空間６３は、通常時に利用者が利用し、トイレ配置箱部６２内のトイレ空間６４とは、乗りかご本体６１の壁部６０ａによって仕切られる。この壁部６０ａが仕切り壁に相当する。この壁部６０ａは、トイレ空間６４が面する壁部であり、トイレ扉６５が配置される。トイレ扉６５は、トイレ空間６４が面する壁部６０ａの開口を塞ぐように取り付けられ、利用者が通常利用空間６３からトイレ空間６４に出入りするために使用される。
【００５１】
上記の構成によれば、乗りかご本体６１内において、通常時に利用者が利用する通常利用空間６３が狭くなることを抑制できる。その他の構成及び作用は、図１から図６の構成と同様である。なお、図１２の構成は、図７から図１１の各例の構成と組み合わせて用いることもできる。
【符号の説明】
【００５２】
１０  トイレ付エレベータシステム、１１  昇降路、１２  主ロープ、１３  エレベータ運転装置、１４  地震センサ、１５  制御盤、１６  尿排出口、１７  壁部、２０  乗りかご、２０ａ  底板部、２０ｂ，２０ｃ  壁部、２０ｄ  開口、２１  トイレ、２１ａ  便器、２１ｂ  弁座、２１ｃ  弁蓋、２２  給水タンク、２３  トイレ空間、２４  仕切り壁、２５  トイレ扉、２５ａ  電気錠、２６  通常利用空間、２７  防犯カメラ、２８  乗りかご扉、３０  尿タンク、３１  配管、３２  小便センサ、３３  脱臭ファン、３５  中継容器、３６  下流側排出管、３７  上流側排出ホース、３８  最上階、４０  吸盤付カーテン、４０ａ  吸盤、４１  擬音発生装置、４２  汚物入れ、４３  尿排出管、４４  排出管閉鎖弁、４５  蓋部、４６  回動部材、４７  回動軸、４８  バネ、５０  通信制御装置、５１  情報センター、５２  大便使用スイッチ、６０  乗りかご、６０ａ  壁部、６１  乗りかご本体、６２  トイレ配置箱部、６３  通常利用空間、６４  トイレ空間、６５  トイレ扉。
【図１】
0006656068.tif 000002
【図２】
0006656068.tif 000003
【図３】
0006656068.tif 000004
【図４】
0006656068.tif 000005
【図５】
0006656068.tif 000006
【図６】
0006656068.tif 000007
【図７】
0006656068.tif 000008
【図８】
0006656068.tif 000009
【図９】
0006656068.tif 000010
【図１０】
0006656068.tif 000011
【図１１】
0006656068.tif 000012
【図１２】
0006656068.tif 000013